(57)【要約】【課題】側方頭部Ｘ線規格写真、後前方向頭部Ｘ線規格写真などを、被検体の頭部の前後方向の傾きが同じ状態で簡単にかつ高い再現性で撮影することができ、しかも眼窩下点支持棒を用いる場合のような危険もないＸ線撮影装置を提供する。【解決手段】Ｘ線撮影装置は、基準線１６を挟んで互いに対向して設けられ、かつ基準線１６の周りに回転可能な一対のアーム１２、１３と、一対のアーム１２、１３の互いに対向する内側面にそれぞれ設けられたイヤーロッド１７、１８と、一方のアーム１３に設けられた、被検体の頭部の前後方向の傾きを設定するための頭部傾き設定装置１９とを有する。頭部傾き設定装置１９は、アーム１３またはイヤーロッド１８上の基準点を中心とする、水平線に対する傾斜角度を測定する分度器の機能を有する。【選択図】図１
2014023678.tif 000002
【特許請求の範囲】
【請求項１】
互いに対向して設けられた一対のアームと、
上記一対のアームの互いに対向する内側面にそれぞれ設けられたイヤーロッドと、
上記一対のアームのうちの少なくとも一方に設けられた、被検体の頭部の前後方向の傾きを設定するための頭部傾き設定装置とを有するＸ線撮影装置。
【請求項２】
上記頭部傾き設定装置は、上記一対のアームの上記イヤーロッドを上記被検体の両耳の外耳孔に装着した状態で上記被検体の頭部の傾きを設定する請求項１記載のＸ線撮影装置。
【請求項３】
上記頭部傾き設定装置は、上記頭部を側方から見たときに、上記アームまたは上記イヤーロッド上の第１の基準点と上記被検体の顔面の第２の基準点とを結ぶ直線が水平線または水平線に対して所定の角度傾斜した直線になるように上記頭部の傾きを設定する請求項２記載のＸ線撮影装置。
【請求項４】
上記頭部傾き設定装置は、上記第１の基準点を中心とする、水平線に対する傾斜角度を測定する分度器の機能を有する請求項１〜３のいずれか一項記載のＸ線撮影装置。
【請求項５】
上記頭部傾き設定装置は、上記アームと一体的に設けられ、または、上記アームの外側面に設けられた透明板からなる請求項１〜４のいずれか一項記載のＸ線撮影装置。
【請求項６】
上記透明板は、上記イヤーロッドの中心軸に対して垂直に設けられている請求項５記載のＸ線撮影装置。
【請求項７】
上記透明板は水平面確認機構を備えている請求項６記載のＸ線撮影装置。
【請求項８】
上記水平面確認機構は、上記透明板に上記透明板に対して垂直に内側に向かって突出した水平板または上記透明板の両面の互いに対向する位置に設けられた一対の着色水平線からなる請求項７記載のＸ線撮影装置。
【請求項９】
上記第１の基準点は上記イヤーロッドの最上点である請求項３記載のＸ線撮影装置。
【請求項１０】
上記第２の基準点は上記被検体の眼窩骨縁最下点、瞳孔の中心の直下の眼窩縁または眼瞼裂の中心である請求項３記載のＸ線撮影装置。
【請求項１１】
上記Ｘ線撮影装置はセファロＸ線撮影装置である請求項１〜１０のいずれか一項記載のＸ線撮影装置。
【請求項１２】
被検体の頭部のＸ線撮影を行う際に、互いに対向して設けられた一対のアームの互いに対向する内側面にそれぞれ設けられたイヤーロッドを上記被検体の両耳の外耳孔に装着した状態で上記被検体の頭部の前後方向の傾きを、上記頭部を側方から見たときに、上記アームまたは上記イヤーロッド上の第１の基準点と上記被検体の顔面の第２の基準点とを結ぶ直線が水平線または水平線に対して所定の角度傾斜した直線になるように上記頭部の傾きを設定する頭部傾き設定装置であって、上記第１の基準点を中心とする、水平線に対する傾斜角度を測定する分度器の機能を有するものを用いて測定する、Ｘ線撮影を行う際の頭部傾き測定方法。
【請求項１３】
Ｘ線撮影を行う際に被検体の頭部の前後方向の傾きを設定するための頭部傾き設定装置を有するＸ線撮影装置用スタンド。
【請求項１４】
Ｘ線撮影を行う際に被検体の頭部の前後方向の傾きを設定するための頭部傾き設定装置を有するＸ線撮影装置用椅子。
【発明の詳細な説明】
【技術分野】
【０００１】
この発明は、Ｘ線撮影装置、Ｘ線撮影を行う際の頭部傾き測定方法、Ｘ線撮影装置用スタンドおよびＸ線撮影装置用椅子に関し、例えば、セファロＸ線撮影装置で頭部Ｘ線写真を撮影する際に適用して好適なものである。
【背景技術】
【０００２】
歯列矯正治療などにおいて治療方針を決める際には、患者の頭部Ｘ線規格写真（セファログラム）を撮影し、この頭部Ｘ線規格写真に基づいてセファロ分析を行うのが一般的である（例えば、非特許文献１、２参照。）。従来、頭部Ｘ線規格写真としては、もっぱら側方（側面）頭部Ｘ線規格写真が撮影されている。必要に応じて後前方向（ＰＡ（posteroanterior)）頭部Ｘ線規格写真が撮影されることがあるものの、撮影されることはむしろ稀であり、ましてや、後前方向頭部Ｘ線規格写真から治療に役立つ有用な情報を取得できているとは到底言い難いのが実情である。その大きな原因は、後前方向頭部Ｘ線規格写真を撮影する際の頭部の前後方向の傾きを設定することが極めて難しいため、撮影するたびに頭部の傾きが異なってしまうことにある。頭部の傾きが異なった状態で撮影すると、得られる後前方向頭部Ｘ線規格写真は全く別の印象を与えるものとなる。このため、現状では、そもそも後前方向頭部Ｘ線規格写真は、患者の頭部の骨格などを判断する際の信頼できる資料とはならないと考えられている。
【０００３】
従来、側方頭部Ｘ線規格写真は、患者の頭部のフランクフルト(Frankfort) 平面が床面に平行になる位置で撮影するとされていた（非特許文献１、２参照。）。ここで、フランクフルト平面は、眼窩骨縁最下点（オルビターレ（orbitale) ）と外耳道上縁点（ポリオン（porion) ）とを結ぶ平面である。側方頭部Ｘ線規格写真を撮影する際に、頭部のフランクフルト平面を床面に平行にするために、セファロＸ線撮影装置に、先端が針状に尖った眼窩下点支持棒を患者の顔面を向くように水平面内に設けることが知られている（非特許文献２参照。）。そして、後前方向頭部Ｘ線規格写真についても同様に、フランクフルト平面が床面に平行になる位置で撮影するとされていた（非特許文献２参照。）。
【０００４】
また、歯科矯正学の教科書として世界的に最も評価が高いプロフィト(Proffit) の教科書（非特許文献３参照。）においては、セファロ分析に関し、「セファロ写真は自然頭位（natural head position,ＮＦＰ）で撮影されるべきであり、それによって生理学的に真の水平面を求めることができる」とされている。
【先行技術文献】
【非特許文献】
【０００５】
【非特許文献１】亀田  晃著「矯正臨床における診断法」第５４頁〜第７１頁（医書出版株式会社、昭和５３年６月発行）
【非特許文献２】宮下  邦彦著「カラーアトラス  Ｘ線解剖学とセファロ分析法」第１４６頁〜第１４９頁（クインテッセンス出版株式会社、平成２１年６月１０日発行）
【非特許文献３】William R. Proffit著（高田健治訳）「新版  プロフィトの現代歯科矯正学」（クインテッセンス出版株式会社、２００４年６月１０日発行）
【発明の概要】
【発明が解決しようとする課題】
【０００６】
しかしながら、非特許文献２においては、後前方向頭部Ｘ線規格写真を撮影する際には「頭部の変位により著しく像が異なりやすいので側方撮影を最初に行い、患者に体位を習得させてから行うのが良い。」と記載されているに過ぎず（同文献の第１４７頁第１１行〜第１３行）、後前方向頭部Ｘ線規格写真を撮影する際に患者の頭部のフランクフルト平面を床面に平行にするための具体的な方法については何ら記載されていない。このため、後前方向頭部Ｘ線規格写真と側方頭部Ｘ線規格写真とを、患者の頭部の傾きが同じ状態で撮影することは到底困難であると考えられる。また、この方法では、患者の顔面などが眼窩下点支持棒と接触する恐れがあり危険である。
【０００７】
また、非特許文献３の方法では、後前方向頭部Ｘ線規格写真は勿論、側方頭部Ｘ線規格写真を撮影する際にも、撮影するたびに頭部の傾きが異なってしまうことは避けられず、後前方向頭部Ｘ線規格写真と側方頭部Ｘ線規格写真とを、患者の頭部の傾きが同じ状態で撮影することは到底困難であると考えられる。
【０００８】
さらに、本発明者が知る限り、後前方向頭部Ｘ線規格写真と側方頭部Ｘ線規格写真とを患者の頭部の傾きが同じ状態で簡単に撮影する方法は知られていない。
また、上下顎骨の成長発育を調べるためには、側方頭部Ｘ線規格写真あるいは後前方向頭部Ｘ線規格写真を時間を置いて撮影し、それらの側方頭部Ｘ線規格写真あるいは後前方向頭部Ｘ線規格写真を重ね合わせることにより経年変化を調べることが重要である。しかしながら、上述のように後前方向頭部Ｘ線規格写真と側方頭部Ｘ線規格写真とを患者の頭部の傾きが同じ状態で撮影することは困難であったため、この経年変化を調べることは実際上困難であった。
【０００９】
そこで、この発明が解決しようとする課題は、側方頭部Ｘ線規格写真、後前方向頭部Ｘ線規格写真、前後方向頭部Ｘ線規格写真、後前方向と前後方向との中間の任意の方向の頭部Ｘ線写真などを、被検体の頭部の前後方向の傾きが同じ状態で簡単にかつ高い再現性で撮影することができ、しかも眼窩下点支持棒を用いる場合のような危険もないＸ線撮影装置およびＸ線撮影を行う際の頭部傾き測定方法を提供することである。
【００１０】
この発明が解決しようとする他の課題は、側方頭部Ｘ線規格写真、後前方向頭部Ｘ線規格写真、前後方向頭部Ｘ線規格写真、後前方向と前後方向との中間の任意の方向の頭部Ｘ線写真などを、被検体の頭部の前後方向の傾きが同じ状態で簡単にかつ高い再現性で撮影することができ、しかも眼窩下点支持棒を用いる場合のような危険もないＸ線撮影装置用スタンドおよびＸ線撮影装置用椅子を提供することである。
【００１１】
上記課題および他の課題は、添付図面を参照した以下の記述によって明らかとなるであろう。
【課題を解決するための手段】
【００１２】
上記課題を解決するために、この発明は、
互いに対向して設けられた一対のアームと、
上記一対のアームの互いに対向する内側面にそれぞれ設けられたイヤーロッドと、
上記一対のアームのうちの少なくとも一方に設けられた、被検体の頭部の前後方向の傾きを設定するための頭部傾き設定装置とを有するＸ線撮影装置である。
【００１３】
一対のアームは、典型的には、基準線を挟んで互いに対向して設けられ、かつその基準線の周りに回転可能に構成される。頭部傾き設定装置は、典型的には、一対のアームのイヤーロッドを被検体の両耳の外耳孔に装着した状態で被検体の頭部の傾きを設定する。頭部傾き設定装置は、典型的には、頭部を側方（側面）から見たときに、アームまたはイヤーロッド上の第１の基準点と被検体の顔面の第２の基準点とを結ぶ直線が水平線または水平線に対して所定の角度傾斜した直線になるように頭部の傾きを設定する。頭部傾き設定装置は、好適には、第１の基準点を中心とする、水平線に対する傾斜角度を測定する分度器の機能を有する。この分度器の機能を用いることにより、頭部の前後方向の傾きを正確に設定することができる。第１の基準点を中心とする、水平線に対する傾斜角度は、正の角度（第１の基準点と第２の基準点とを結ぶ直線が水平線に対して上側に傾いている場合）であっても、負の角度（第１の基準点と第２の基準点とを結ぶ直線が水平線に対して下側に傾いている場合）であってもよい。
【００１４】
頭部傾き設定装置は、例えば、アームと一体的に設けられ、または、アームの外側面に設けられた透明板からなる。この透明板は、典型的には、イヤーロッドの中心軸に対して垂直に設けられる。この透明板は、好適には、水平面確認機構を備えている。この水平面確認機構は、頭部傾き設定装置を用いて頭部の傾きを設定する際に検査者が水平面を認識するために用いることができる。この水平面確認機構としては、例えば、透明板にこの透明板に対して垂直に内側に向かって突出した水平板が用いられる。水平面確認機構としては、そのほかに、透明板の両面の互いに対向する位置に設けられた着色水平線を用いることもできる。頭部傾き設定装置は、例えば、被検体の頭部を側方から撮影するビデオカメラおよびこのビデオカメラで撮影された画像を表示するディスプレイ（液晶ディスプレイや有機ＥＬディスプレイなど）であってもよく、このディスプレイに、第１の基準点を中心とする、水平線に対する傾斜角度を測定する分度器を表示するようにしてもよい。
【００１５】
第１の基準点と第２の基準点とを結ぶ直線が頭部のフランクフルト平面またはそれに近い平面になるようにするためには、第１の基準点は、例えばイヤーロッドの最上点（撮影時の被検体の両耳の外耳道上縁点（ポリオン）と一致する）、第２の基準点は、例えば、眼窩骨縁最下点（オルビターレ）、瞳孔の中心の直下の眼窩縁、眼瞼裂の中心などに選ばれる。第１の基準点と第２の基準点とを結ぶ直線がフランクフルト平面またはそれに近い平面にならなくてもよい場合には、第１の基準点および第２の基準点は任意に選ぶことができる。
【００１６】
Ｘ線撮影装置は、例えばセファロＸ線撮影装置であるが、他の医科歯科用Ｘ線撮影装置であってもよく、コンピュータ断層撮影（ＣＴ）装置などであってもよい。被検体の撮影する部位は、典型的には頭部であるが、頭部に加えて頸部も含まれてもよく、頸部のみ撮影してもよい。
【００１７】
また、この発明は、
被検体の頭部のＸ線撮影を行う際に、互いに対向して設けられた一対のアームの互いに対向する内側面にそれぞれ設けられたイヤーロッドを上記被検体の両耳の外耳孔に装着した状態で上記被検体の頭部の前後方向の傾きを、上記頭部を側方から見たときに、上記アームまたは上記イヤーロッド上の第１の基準点と上記被検体の顔面の第２の基準点とを結ぶ直線が水平線または水平線に対して所定の角度傾斜した直線になるように上記頭部の傾きを設定する頭部傾き設定装置であって、上記第１の基準点を中心とする、水平線に対する傾斜角度を測定する分度器の機能を有するものを用いて測定する、Ｘ線撮影を行う際の頭部傾き測定方法である。
【００１８】
このＸ線撮影を行う際の頭部傾き測定方法の発明においては、その性質に反しない限り、上記のＸ線撮影装置の発明に関連して説明したことが成立する。
【００１９】
また、この発明は、
Ｘ線撮影を行う際に被検体の頭部の前後方向の傾きを設定するための頭部傾き設定装置を有するＸ線撮影装置用スタンドである。
【００２０】
ここで、このＸ線撮影装置用スタンドは、典型的には、その頭部傾き設定装置が、撮影時に上記のＸ線撮影装置における頭部傾き設定装置と同じ位置に来るように設置される。
【００２１】
また、この発明は、
Ｘ線撮影を行う際に被検体の頭部の前後方向の傾きを設定するための頭部傾き設定装置を有するＸ線撮影装置用椅子である。
【００２２】
ここで、このＸ線撮影装置用椅子の頭部傾き設定装置は、典型的には、撮影時に上記のＸ線撮影装置における頭部傾き設定装置と同じ位置に来るように設置される。
【００２３】
上記のＸ線撮影装置用スタンドおよびＸ線撮影装置用椅子の発明においては、上記以外のことについては、その性質に反しない限り、上記のＸ線撮影装置の発明に関連して説明したことが成立する。
【発明の効果】
【００２４】
この発明によれば、側方頭部Ｘ線規格写真、後前方向頭部Ｘ線規格写真、前後方向頭部Ｘ線規格写真、後前方向と前後方向との中間の任意の方向の頭部Ｘ線写真などを、被検体の頭部の前後方向の傾きが同じ状態で簡単にかつ高い再現性で撮影することができ、しかも眼窩下点支持棒を用いる場合のような危険もない。
【図面の簡単な説明】
【００２５】
【図１】この発明の第１の実施の形態によるセファロＸ線撮影装置を水平方向かつ中心Ｘ線に対して垂直方向から見た略線図である。
【図２】この発明の第１の実施の形態によるセファロＸ線撮影装置のアームおよびこのアームに設置された頭部傾き設定装置を示す略線図である。
【図３】この発明の第１の実施の形態によるセファロＸ線撮影装置の頭部傾き設定装置の下端に設けられた水平板を示す平面図である。
【図４】この発明の第１の実施の形態によるセファロＸ線撮影装置を用いて側方頭部Ｘ線規格写真を撮影する方法を説明するための略線図である。
【図５】この発明の第１の実施の形態によるセファロＸ線撮影装置を用いて側方頭部Ｘ線規格写真を撮影する方法を説明するための略線図である。
【図６】この発明の第１の実施の形態によるセファロＸ線撮影装置を用いて側方頭部Ｘ線規格写真を撮影する方法を説明するための略線図である。
【図７】この発明の第１の実施の形態によるセファロＸ線撮影装置を用いて頭部が前後方向に１０°傾斜した顔面高位で側方頭部Ｘ線規格写真を撮影する方法を説明するための略線図である。
【図８】この発明の第１の実施の形態によるセファロＸ線撮影装置を用いて後前方向頭部Ｘ線規格写真を撮影する方法を説明するための略線図である。
【図９】この発明の第１の実施の形態によるセファロＸ線撮影装置を用いて後前方向頭部Ｘ線規格写真を撮影する方法を説明するための略線図である。
【図１０】この発明の第１の実施の形態によるセファロＸ線撮影装置を用いて後前方向と前後方向との中間の任意の方向の頭部Ｘ線写真を撮影する方法を説明するための略線図である。
【図１１】この発明の第２の実施の形態によるセファロＸ線撮影装置において用いられるＸ線撮影装置用スタンドを示す正面図である。
【図１２】この発明の第３の実施の形態によるセファロＸ線撮影装置において用いられるＸ線撮影装置用椅子を示す側面図である。
【図１３】この発明の第４の実施の形態によるセファロＸ線撮影装置を説明するための略線図である。
【図１４】この発明の第４の実施の形態によるセファロＸ線撮影装置のアームおよびこのアームに設置されたアーム下部傾き設定装置を示す略線図である。
【図１５】この発明の第１の実施の形態によるセファロＸ線撮影装置を用いて撮影された被験者１の側方頭部Ｘ線規格写真を示す図面代用写真である。
【図１６】この発明の第１の実施の形態によるセファロＸ線撮影装置を用いて撮影された被験者１の後前方向頭部Ｘ線規格写真を示す図面代用写真である。
【図１７】この発明の第１の実施の形態によるセファロＸ線撮影装置を用いて撮影された被験者２の側方頭部Ｘ線規格写真を示す図面代用写真である。
【図１８】この発明の第１の実施の形態によるセファロＸ線撮影装置を用いて撮影された被験者２の後前方向頭部Ｘ線規格写真を示す図面代用写真である。
【図１９】この発明の第１の実施の形態によるセファロＸ線撮影装置を用いて撮影された被験者３の側方頭部Ｘ線規格写真を示す図面代用写真である。
【図２０】この発明の第１の実施の形態によるセファロＸ線撮影装置を用いて撮影された被験者３の後前方向頭部Ｘ線規格写真を示す図面代用写真である。
【図２１】この発明の第１の実施の形態によるセファロＸ線撮影装置を用いて撮影された被験者４の側方頭部Ｘ線規格写真を示す図面代用写真である。
【図２２】この発明の第１の実施の形態によるセファロＸ線撮影装置を用いて撮影された被験者４の後前方向頭部Ｘ線規格写真を示す図面代用写真である。
【図２３】この発明の第１の実施の形態によるセファロＸ線撮影装置を用いて撮影された被験者５の側方頭部Ｘ線規格写真を示す図面代用写真である。
【図２４】この発明の第１の実施の形態によるセファロＸ線撮影装置を用いて撮影された被験者５の後前方向頭部Ｘ線規格写真を示す図面代用写真である。
【図２５】この発明の第１の実施の形態によるセファロＸ線撮影装置を用いて撮影された被験者６の側方頭部Ｘ線規格写真を示す図面代用写真である。
【図２６】この発明の第１の実施の形態によるセファロＸ線撮影装置を用いて撮影された被験者６の後前方向頭部Ｘ線規格写真を示す図面代用写真である。
【図２７】この発明の第１の実施の形態によるセファロＸ線撮影装置を用いて撮影された被験者７の側方頭部Ｘ線規格写真を示す図面代用写真である。
【図２８】この発明の第１の実施の形態によるセファロＸ線撮影装置を用いて撮影された被験者７の後前方向頭部Ｘ線規格写真を示す図面代用写真である。
【図２９】この発明の第１の実施の形態によるセファロＸ線撮影装置を用いて撮影された被験者８の側方頭部Ｘ線規格写真を示す図面代用写真である。
【図３０】この発明の第１の実施の形態によるセファロＸ線撮影装置を用いて撮影された被験者８の後前方向頭部Ｘ線規格写真を示す図面代用写真である。
【図３１】この発明の第１の実施の形態によるセファロＸ線撮影装置を用いて撮影された被験者９の側方頭部Ｘ線規格写真を示す図面代用写真である。
【図３２】この発明の第１の実施の形態によるセファロＸ線撮影装置を用いて撮影された被験者９の後前方向頭部Ｘ線規格写真を示す図面代用写真である。
【図３３】この発明の第１の実施の形態によるセファロＸ線撮影装置を用いて撮影された被験者１０の側方頭部Ｘ線規格写真を示す図面代用写真である。
【図３４】この発明の第１の実施の形態によるセファロＸ線撮影装置を用いて撮影された被験者１０の後前方向頭部Ｘ線規格写真を示す図面代用写真である。
【図３５】この発明の第１の実施の形態によるセファロＸ線撮影装置を用いて撮影された被験者１１の側方頭部Ｘ線規格写真を示す図面代用写真である。
【図３６】この発明の第１の実施の形態によるセファロＸ線撮影装置を用いて撮影された被験者１１の後前方向頭部Ｘ線規格写真を示す図面代用写真である。
【図３７】この発明の第１の実施の形態によるセファロＸ線撮影装置を用いて撮影された被験者１２の側方頭部Ｘ線規格写真を示す図面代用写真である。
【図３８】この発明の第１の実施の形態によるセファロＸ線撮影装置を用いて撮影された被験者１２の後前方向頭部Ｘ線規格写真を示す図面代用写真である。
【図３９】この発明の第１の実施の形態によるセファロＸ線撮影装置を用いて撮影された被験者１３の側方頭部Ｘ線規格写真を示す図面代用写真である。
【図４０】この発明の第１の実施の形態によるセファロＸ線撮影装置を用いて撮影された被験者１３の後前方向頭部Ｘ線規格写真を示す図面代用写真である。
【図４１】この発明の第１の実施の形態によるセファロＸ線撮影装置を用いて撮影された被験者１４の側方頭部Ｘ線規格写真を示す図面代用写真である。
【図４２】この発明の第１の実施の形態によるセファロＸ線撮影装置を用いて撮影された被験者１４の後前方向頭部Ｘ線規格写真を示す図面代用写真である。
【図４３】この発明の第１の実施の形態によるセファロＸ線撮影装置を用いて撮影された被験者１５の側方頭部Ｘ線規格写真を示す図面代用写真である。
【図４４】この発明の第１の実施の形態によるセファロＸ線撮影装置を用いて撮影された被験者１５の後前方向頭部Ｘ線規格写真を示す図面代用写真である。
【図４５】この発明の第１の実施の形態によるセファロＸ線撮影装置を用いて撮影された被験者１６の側方頭部Ｘ線規格写真を示す図面代用写真である。
【図４６】この発明の第１の実施の形態によるセファロＸ線撮影装置を用いて撮影された被験者１６の後前方向頭部Ｘ線規格写真を示す図面代用写真である。
【図４７】この発明の第１の実施の形態によるセファロＸ線撮影装置を用いて撮影された被験者１７の側方頭部Ｘ線規格写真を示す図面代用写真である。
【図４８】この発明の第１の実施の形態によるセファロＸ線撮影装置を用いて撮影された被験者１７の後前方向頭部Ｘ線規格写真を示す図面代用写真である。
【図４９】この発明の第１の実施の形態によるセファロＸ線撮影装置を用いて撮影された被験者１８の側方頭部Ｘ線規格写真を示す図面代用写真である。
【図５０】この発明の第１の実施の形態によるセファロＸ線撮影装置を用いて撮影された被験者１８の後前方向頭部Ｘ線規格写真を示す図面代用写真である。
【図５１】この発明の第１の実施の形態によるセファロＸ線撮影装置を用いて撮影された被験者１９の後前方向頭部Ｘ線規格写真を示す図面代用写真である。
【図５２】この発明の第１の実施の形態によるセファロＸ線撮影装置を用いて撮影された被験者１９の顔面高位での後前方向頭部Ｘ線規格写真を示す図面代用写真である。
【図５３】この発明の第１の実施の形態によるセファロＸ線撮影装置を用いて撮影された被験者１９の顔面低位での後前方向頭部Ｘ線規格写真を示す図面代用写真である。
【発明を実施するための形態】
【００２６】
以下、発明を実施するための形態（以下、「実施の形態」という。）について説明する。
〈１．第１の実施の形態〉
図１は第１の実施の形態によるセファロＸ線撮影装置を示す。図１に示すように、このセファロＸ線撮影装置は、Ｘ線発生部１１と、アーム１２、１３と、アーム制御装置１４と、Ｘ線検出部１５とを有する。Ｘ線発生部１１はＸ線管１１ａを有し、このＸ線管１１ａからＸ線が発生される。アーム制御装置１４は、図示省略した支持部により床面に対して支持されている。
【００２７】
Ｘ線管１１ａから発生されたＸ線は被検体の頭部に照射され、この頭部を透過したＸ線がＸ線検出部１５に入射し、透過Ｘ線画像が得られる。Ｘ線検出部１５は特に限定されないが、例えば、Ｘ線フィルム、イメージングプレート、半導体検出器などが用いられる。透過Ｘ線画像は、必要に応じて、例えばディジタル画像信号に変換される。
【００２８】
アーム１２、１３は、鉛直線に平行かつ中心Ｘ線と直交する基準線１６を挟んで互いに対向して設けられている。アーム１２、１３の上部はアーム制御装置１４に取り付けられている。そして、アーム１２、１３は、このアーム制御装置１４により、基準線１６の周りに回転可能、基準線１６に平行な方向に昇降可能および水平方向に互いに逆向きに並進移動可能になっている。アーム１２、１３の下部は下端に向かって幅が徐々に狭くなっており下端は円形になっている（図２参照）。また、アーム１２、１３の下端部はそれぞれ、鉛直線に対して内側に所定の角度折り曲げられた後、再び鉛直線に平行になっている。アーム１２、１３は、少なくとも撮影時にＸ線が照射される部分は透明材料により構成され、一般的にはそのほぼ全部が透明材料により構成される。アーム１２、１３の下端部の互いに対向する内側面にはそれぞれ先端が尖った円柱状のイヤーロッド１７、１８が互いに同軸に設けられている。イヤーロッド１７、１８は、従来公知のものを用いることができ、撮影時にその輪郭が写るようになっている。
【００２９】
アーム１２、１３の少なくとも一方の外側面には、被検体の頭部の前後方向の傾きを設定するための頭部傾き設定装置１９が取り付けられている。図１には、アーム１３の外側面に頭部傾き設定装置１９が取り付けられている例が示されている。この場合、この頭部傾き設定装置１９は、イヤーロッド１８の中心軸に垂直な長方形状の透明板からなる。この透明板としては、アクリル板やＰＥＴ（ポリエチレンテレフタレート）板などの透明プラスチック板、ガラス板などを用いることができる。この透明板は、必要な機械的強度が得られ、曲がりにくい厚さであればよいが、例えば、２ｍｍ以上１０ｍｍ以下の厚さである。頭部傾き設定装置１９の取付方法は特に限定されず、接着、ねじ止めなどのどのようなものであってもよい。
【００３０】
頭部傾き設定装置１９の詳細を図２に示す。図２は頭部傾き設定装置１９をその面に垂直な方向から見た図である。図２に示すように、頭部傾き設定装置１９の下端面（底辺）は水平面に平行になっている。この頭部傾き設定装置１９の下端面は、イヤーロッド１８の最上点でイヤーロッド１８の中心軸に垂直方向に引いた接線方向と一致している。この頭部傾き設定装置１９には、イヤーロッド１８の最上点を中心とした角度目盛１９ａが形成されており、分度器の機能を有する。図２においては、角度目盛１９ａは０°から９０°まで１０°間隔で形成されているが、角度目盛１９ａの付け方はこれに限定されるものではなく、例えば５°間隔あるいは１°間隔で形成してもよいし、特定の範囲内の角度だけ、例えば０°から３０°まで角度目盛１９ａが形成されてもよい。角度目盛１９ａが０°の線は頭部傾き設定装置１９の下端面と一致している。角度目盛１９ａは、典型的には、通常の分度器と同様に例えば黒色に着色された線により形成されるが、これに限定されるものではない。０°を除く角度目盛１９ａは、頭部傾き設定装置１９の片面に設けてもよいが、好適には、両面の互いに対応する位置にそれぞれ設けられる。このように角度目盛１９ａを頭部傾き設定装置１９の両面の互いに対応する位置に設けることにより、この角度目盛１９ａを水平方向から見たとき、両面の角度目盛１９ａが一致する方向が水平方向であり、一致しなければ水平方向からずれていると判断することができる。頭部傾き設定装置１９の下端面には、この頭部傾き設定装置１９に対して垂直に内側に向かって突出する水平板２０が設けられている。図３に頭部傾き設定装置１９および水平板２０の平面図を示す。図３に示すように、水平板２０は、イヤーロッド１８から離れた部分に幅広の部分を有する。水平板２０は、水平面を確認する際に視認を容易にするために、好適には着色され、具体的に例えば黒色に着色される。水平板２０は、好適にはＸ線透過画像に写るようにその材質、厚さ、水平方向の幅などが選ばれる。水平板２０の材質は、例えば、アクリルなどの透明プラスチック、不透明プラスチック、金属などである。水平板２０の厚さは、例えば０．２ｍｍ以上２ｍｍ以下であるが、これに限定されるものではない。水平板２０の水平方向の幅は、例えば１ｍｍ以上３０ｍｍ以上であるが、これに限定されるものではない。
【００３１】
次に、このセファロＸ線撮影装置を用いて被検体の頭部Ｘ線撮影を行う方法について説明する。
【００３２】
（１）側方頭部Ｘ線規格写真を撮影する方法
図１において、アーム１２、１３を水平方向に外側に並進移動させて互いに十分な距離離し、かつ十分に高い位置に移動させておく。この状態で、図４に示すように、被検体の頭部２１を、アーム１２、１３の間に、その正中矢状面がＸ線管１１ａからの中心Ｘ線に対して垂直になるように位置させる。被検体は、椅子に座った座位であっても立った状態の立位であってもよい。次に、アーム１２、１３を下降させることにより、イヤーロッド１７、１８が被検体の頭部２１の左右の外耳孔の高さ位置に来るようにする。次に、アーム１２、１３を水平方向に内側に並進移動させ、被検体の頭部２１の左右の外耳孔にイヤーロッド１７、１８を挿入する。そして、イヤーロッド１７、１８の最上点が外耳道上縁点（Ｐｏ）に接触するようにすることによって頭部２１を固定し、中心Ｘ線の照射方向がイヤーロッド１７、１８の中心軸と一致するようにする。次に、検査者が頭部２１の顔面の所定の基準点（第２の基準点）、例えば、オルビターレ（Ｏｒ）、瞳孔の中心の直下の眼窩縁、眼瞼裂の中心などを探す。例えば、オルビターレを基準点とする場合は、検査者が指先で眼窩下縁付近を触ることにより探すことができる。そして、図５に示すように、こうして探した基準点に円形の小さな色付きのシール２２を貼る。このシール２２の色は基本的にはどのようなものであってもよいが、例えば、赤色、黄色、緑色、青色、白色、黒色などであってよい。この基準点に貼られたシール２２を、頭部２１の側方から見ることが難しい場合には、顔面上のこのシール２２から水平方向の外側に例えば５〜２０ｍｍ離れた位置にもシール２２を貼る。次に、図６に示すように、検査者が頭部傾き設定装置１９を外側から水平方向に見る。このとき、透明板からなる頭部傾き設定装置１９を透過してシール２２を見ることができる。そして、頭部傾き設定装置１９の角度目盛１９ａを用い、ポリオン（イヤーロッド１８の最上点と一致する）とオルビターレとを結ぶ直線を所望の角度に設定する。図６には、一例として、ポリオンとオルビターレとを結ぶ平面、すなわちフランクフルト平面を水平に設定する場合が示されている。このようにフランクフルト平面を水平に設定する場合には、角度目盛１９ａが０°にある水平板２０を外側から観察する。このとき、水平板２０が線状に見えるときには、水平方向から観察していることになるから、ポリオンとオルビターレとを結ぶ直線がこの水平板２０と一致するように頭部２１の前後方向の傾きを設定する。こうして、頭部２１のフランクフルト平面が水平面（床面）に平行になるように設定される。
【００３３】
上述のようにして頭部２１の傾きを所望の傾きに設定した状態でＸ線撮影を行うことにより、側方頭部Ｘ線規格写真を撮影する。
【００３４】
頭部２１のフランクフルト平面が水平面に対して正または負の角度傾斜した位置で側方頭部Ｘ線規格写真を撮影する一例として、頭部２１のフランクフルト平面が水平面に対して１０°傾斜した状態（顔面高位）で側方頭部Ｘ線規格写真を撮影する場合を図７に示す。図７に示すように、この場合には、頭部傾き設定装置１９の角度目盛１９ａを用い、頭部２１の前後方向の傾きを調整し、ポリオンとオルビターレとを結ぶ直線を１０°の角度に設定する。
【００３５】
（２）後前方向頭部Ｘ線規格写真を撮影する方法
図８に示すように、アーム１２、１３を図１に示す位置から基準線１６の周りに９０°回転させる。そして、図９に示すように、側方頭部Ｘ線規格写真を撮影する場合と同様に、被検体の頭部２１の左右の外耳孔にイヤーロッド１７、１８を挿入し、イヤーロッド１７、１８の最上点が外耳道上縁点（Ｐｏ）に接触するようにすることによって頭部２１を固定する。この場合、頭部２１の顔面がＸ線検出部１５に向いている。また、中心Ｘ線の照射方向はイヤーロッド１７、１８の中心軸と直交している。頭部２１の顔面の所定の基準点、具体的には例えばオルビターレにはシール２２が貼られたままとする。次に、検査者が頭部傾き設定装置１９を外側から水平方向に見る。このとき、頭部傾き設定装置１９を透過してシール２２を見ることができる。そして、側方頭部Ｘ線規格写真を撮影する場合と同様にして、頭部傾き設定装置１９の角度目盛１９ａを用い、ポリオンとオルビターレとを結ぶ直線を側方頭部Ｘ線規格写真を撮影した場合と同じ角度に設定する。そして、この位置でＸ線撮影を行うことにより、頭部２１の前後方向の傾きが側方頭部Ｘ線規格写真撮影時と同一の状態で後前方向頭部Ｘ線規格写真を撮影することができる。例えば、側方頭部Ｘ線規格写真も後前方向頭部Ｘ線規格写真も、頭部２１のフランクフルト平面が水平面（床面）に平行になる位置で撮影することができる。
【００３６】
（３）前後方向頭部Ｘ線規格写真を撮影する方法
前後方向頭部Ｘ線規格写真を撮影する方法は、頭部２１の顔面がＸ線発生部１１に向くように頭部２１を位置させることを除いて、後前方向頭部Ｘ線規格写真を撮影する方法と同様である。
【００３７】
（４）後前方向と前後方向との中間の任意の方向から頭部Ｘ線写真を撮影する方法
アーム１２、１３を、図１に示す位置から基準線１６の周りに角度β（０°＜β＜３６０°）だけ回転させる。この状態のセファロＸ線撮影装置および頭部の平面図を図１０に示す。そして、側方頭部Ｘ線規格写真を撮影する場合と同様に、被検体の頭部２１の左右の外耳孔にイヤーロッド１７、１８を挿入し、イヤーロッド１７、１８の最上点が外耳道上縁点（Ｐｏ）に接触するようにすることによって頭部２１を固定する。この場合、中心Ｘ線の照射方向はイヤーロッド１７、１８の中心軸に対して角度β傾斜している。頭部２１の顔面の所定の基準点、具体的には例えばオルビターレにはシール２２が貼られたままとする。次に、検査者が頭部傾き設定装置１９を外側から水平方向に見る。このとき、頭部傾き設定装置１９を透過してシール２２を見ることができる。そして、側方頭部Ｘ線規格写真を撮影する場合と同様にして、頭部傾き設定装置１９の角度目盛１９ａを用い、ポリオンとオルビターレとを結ぶ直線を側方頭部Ｘ線規格写真を撮影した場合と同じ角度に設定する。そして、この位置でＸ線撮影を行うことにより、頭部２１の前後方向の傾きが側方頭部Ｘ線規格写真撮影時と同一の状態で頭部Ｘ線写真を撮影することができる。例えば、この頭部Ｘ線写真を、側方頭部Ｘ線規格写真および後前方向頭部Ｘ線規格写真と同様に、頭部２１のフランクフルト平面が水平面（床面）に平行になる位置で撮影することができる。
【００３８】
この第１の実施の形態によるセファロＸ線撮影装置によれば、次のような種々の利点を得ることができる。すなわち、頭部傾き設定装置１９を用いて撮影時の頭部２１の前後方向の傾きを所望の傾きに設定することができることにより、側方頭部Ｘ線規格写真、後前方向頭部Ｘ線規格写真、前後方向頭部Ｘ線規格写真、後前方向と前後方向との中間の任意の方向の頭部Ｘ線写真などを、被検体の頭部２１の前後方向の傾きが同じ状態で簡単にかつ高い再現性で撮影することができる。このため、例えば、側方頭部Ｘ線規格写真あるいは後前方向頭部Ｘ線規格写真を時間を置いて撮影する場合、例えばある時期に撮影してから１年後に撮影する場合においても、頭部２１の前後方向の傾きが同一の状態で撮影することができる。このように頭部２１の前後方向の傾きが常に同一の状態で撮影することができるため、側方頭部Ｘ線規格写真あるいは前後方向頭部Ｘ線規格写真の重ね合わせを容易に行うことができる。これによって、頭部２１の上下顎骨の経年変化を正確に調べることが可能となり、上下顎骨の成長発育を正確に調べることが可能となる。加えて、第１の実施の形態においては、眼窩下点支持棒を用いないので、眼窩下点支持棒を用いる場合の危険もない。
【００３９】
〈２．第２の実施の形態〉
第２の実施の形態によるセファロＸ線撮影装置においては、第１の実施の形態によるセファロＸ線撮影装置のようにアーム１３に頭部傾き設定装置１９が設置されているのではなく、セファロＸ線撮影装置に付属するＸ線撮影装置用スタンドに頭部傾き設定装置１９が設置されている。
【００４０】
図１１にこのＸ線撮影装置用スタンドを示す。図１１に示すように、このＸ線撮影装置用スタンドは、床面に置かれる支持台５１と、この支持台５１に対して垂直に立てられた支持棒５２と、この支持棒５２の上端に取り付けられた頭部傾き設定装置１９とを有する。支持棒５２は伸縮自在に構成され、その長さを所定の範囲で調節することができるようになっている。このため、支持棒５２の長さを調節することにより、頭部傾き設定装置１９の高さを調節することができ、これによって頭部傾き設定装置１９と頭部２１との位置関係を第１の実施の形態と同様に設定することができる。頭部傾き設定装置１９については、第１の実施の形態と同様である。
【００４１】
次に、このセファロＸ線撮影装置を用いて被検体の頭部Ｘ線撮影を行う方法について説明する。
【００４２】
（１）側方頭部Ｘ線規格写真を撮影する方法
アーム１２に頭部傾き設定装置１９が設置されていない図１に示すセファロＸ線撮影装置において、アーム１２、１３を水平方向に外側に並進移動させて互いに十分な距離離し、かつ十分に高い位置に移動させておく。この状態で、図４に示すように、被検体の頭部２１を、アーム１２、１３の間に、その正中矢状面がＸ線管１１ａからの中心Ｘ線に対して垂直になるように位置させる。被検体は、椅子に座った座位であっても立った状態の立位であってもよい。次に、アーム１２、１３を下降させることにより、イヤーロッド１７、１８が被検体の頭部２１の左右の外耳孔の高さ位置に来るようにする。次に、アーム１２、１３を水平方向に内側に並進移動させ、被検体の頭部２１の左右の外耳孔にイヤーロッド１７、１８を挿入し、イヤーロッド１７、１８の最上点が外耳道上縁点（Ｐｏ）に接触するようにすることによって頭部を固定し、中心Ｘ線の照射方向がイヤーロッド１７、１８の中心軸と一致するようにする。次に、検査者が頭部２１の顔面の所定の基準点、具体的には例えばオルビターレを探す。そして、図５に示すように、この基準点にシール２１を貼る。次に、図１１に示すＸ線撮影装置用スタンドを床面上で移動させ、支持棒５２の上端に取り付けられた頭部傾き設定装置１９が被検体の頭部２１に対して図４に示す位置と同じ位置になるようにする。すなわち、頭部傾き設定装置１９がアーム１３の外側面に接触するようにする。そして、この状態で、第１の実施の形態と同様にして、検査者が、頭部傾き設定装置１９の角度目盛１９ａを用い、ポリオンとオルビターレとを結ぶ直線を所望の角度に設定する。そして、この位置でＸ線撮影を行うことにより、側方頭部Ｘ線規格写真を撮影する。
【００４３】
（２）後前方向頭部Ｘ線規格写真を撮影する方法
後前方向頭部Ｘ線規格写真を撮影する場合も、支持棒５２の上端に取り付けられた頭部傾き設定装置１９を用いて、第１の実施の形態と同様にして撮影することができる。
【００４４】
（３）前後方向頭部Ｘ線規格写真を撮影する方法
前後方向頭部Ｘ線規格写真を撮影する場合も、支持棒５２の上端に取り付けられた頭部傾き設定装置１９を用いて、第１の実施の形態と同様にして撮影することができる。
【００４５】
（４）後前方向と前後方向との中間の任意の方向から頭部Ｘ線写真を撮影する方法
後前方向と前後方向との中間の任意の方向から頭部Ｘ線写真を撮影する場合も、支持棒５２の上端に取り付けられた頭部傾き設定装置１９を用いて、第１の実施の形態と同様にして撮影することができる。
【００４６】
この第２の実施の形態によれば、第１の実施の形態と同様な利点を得ることができる。
【００４７】
〈３．第３の実施の形態〉
第３の実施の形態によるセファロＸ線撮影装置においては、第１の実施の形態によるセファロＸ線撮影装置のようにアーム１３に頭部傾き設定装置１９が設置されているのではなく、セファロＸ線撮影装置に付属するＸ線撮影装置用椅子に頭部傾き設定装置１９が設置されている。
【００４８】
図１２にこのＸ線撮影装置用椅子を示す。図１２に示すように、このＸ線撮影装置用椅子は、床面に置かれる支持台６１と、この支持台６１に対して垂直に立てられた支持棒６２と、この支持棒６２の上端に取り付けられた本体部６３と、この本体部６３に取り付けられた支持部材６４と、この支持部材６４の上端に取り付けられた頭部傾き設定装置１９とを有する。本体部６３は座面６３ａと背もたれ６３ｂとからなる。支持棒６２は伸縮自在に構成され、座面６３ａの高さを調節することができるようになっている。支持部材６４は、本体部６３の背もたれ６３ｂの背面に取り付けられている。支持部材６４は水平部と鉛直部とからなり、水平部は背もたれ６３ｂに対して水平方向に伸縮自在に、鉛直部は鉛直線の方向に伸縮自在に構成されている。このため、このＸ線撮影装置用椅子の床面上の位置、座面６３ａの高さ、支持部材６４の水平部および鉛直部の長さなどを調節することにより、頭部傾き設定装置１９と頭部２１との位置関係を第１の実施の形態と同様に設定することができる。頭部傾き設定装置１９については、第１の実施の形態と同様である。
【００４９】
次に、このセファロＸ線撮影装置を用いて被検体の頭部Ｘ線撮影を行う方法について説明する。
【００５０】
（１）側方頭部Ｘ線規格写真を撮影する方法
アーム１３に頭部傾き設定装置１９が設置されていない図１に示すセファロＸ線撮影装置において、アーム１２、１３を水平方向に外側に並進移動させて互いに十分な距離離し、かつ十分に高い位置に移動させておく。この状態で、図４に示すように、被検体の頭部２１を、アーム１２、１３の間に、その正中矢状面がＸ線管１１ａからの中心Ｘ線に対して垂直になるように位置させる。被検体は、図１２に示すＸ線撮影装置用椅子に座らせる。次に、アーム１２、１３を下降させることにより、イヤーロッド１７、１８が被検体の頭部２１の左右の外耳孔の高さ位置に来るようにする。次に、アーム１２、１３を水平方向に内側に並進移動させ、被検体の頭部２１の左右の外耳孔にイヤーロッド１７、１８を挿入し、イヤーロッド１７、１８の最上点が外耳道上縁点（Ｐｏ）に接触するようにすることによって頭部を固定し、中心Ｘ線の照射方向がイヤーロッド１７、１８の中心軸と一致するようにする。次に、検査者が頭部２１の顔面の所定の基準点、具体的には例えばオルビターレを探す。そして、図５に示すように、この基準点にシール２１を貼る。次に、Ｘ線撮影装置椅子の床面上の位置、座面６３ａの高さ、支持部材６４の水平部および鉛直部の長さなどを調節することにより、頭部傾き設定装置１９が被検体の頭部２１に対して図４に示す位置と同じ位置になるようにする。すなわち、頭部傾き設定装置１９がアーム１３の外側面に接触するようにする。そして、この状態で、第１の実施の形態と同様にして、検査者が、頭部傾き設定装置１９の角度目盛１９ａを用い、ポリオンとオルビターレとを結ぶ直線を所望の角度に設定する。そして、この位置でＸ線撮影を行うことにより、側方頭部Ｘ線規格写真を撮影する。
【００５１】
（２）後前方向頭部Ｘ線規格写真を撮影する方法
後前方向頭部Ｘ線規格写真を撮影する場合も、図１２に示すＸ線撮影装置椅子に取り付けられた頭部傾き設定装置１９を用いて、第１の実施の形態と同様にして撮影することができる。
【００５２】
（３）前後方向頭部Ｘ線規格写真を撮影する方法
前後方向頭部Ｘ線規格写真を撮影する場合も、図１２に示すＸ線撮影装置椅子に取り付けられた頭部傾き設定装置１９を用いて、第１の実施の形態と同様にして撮影することができる。
【００５３】
（４）後前方向と前後方向との中間の任意の方向から頭部Ｘ線写真を撮影する方法
後前方向と前後方向との中間の任意の方向から頭部Ｘ線写真を撮影する場合も、図１２に示すＸ線撮影装置椅子に取り付けられた頭部傾き設定装置１９を用いて、第１の実施の形態と同様にして撮影することができる。
【００５４】
この第３の実施の形態によれば、第１の実施の形態と同様な利点を得ることができる。
【００５５】
〈４．第４の実施の形態〉
図１３は第４の実施の形態によるセファロＸ線撮影装置を示す。図１３に示すように、このセファロＸ線撮影装置においては、アーム１２、１３の下部１２ａ、１３ａを上部１２ｂ、１３ｂに対して所定の範囲内の角度に折り曲げることができ、その角度で固定することができるようになっている。ここで、アーム１２の下部１２ａは図１３の点Ｃ1 の周りに、アーム１３の下部１３ａは図１３の点Ｃ2 の周りに回転することができるようになっている。また、アーム１２、１３は、アーム制御装置１４により、互いに独立に、基準線１６に平行な方向に昇降可能になっている。言い換えると、アーム１２、１３の下部１２ａ、１３ａを互いに異なる高さに位置させることができる。
【００５６】
アーム１２、１３の上部１２ｂ、１３ｂの一方のエッジには、アーム１２、１３の下部１２ａ、１３ａの、上部１２ｂ、１３ｂに対する傾斜角度（上部１２ｂ、１３ｂが鉛直線に平行とすると鉛直線に対する角度γ）を設定するための、鉛直線に平行な長方形状の透明板からなるアーム下部傾き設定装置７１が取り付けられている。アーム下部傾き設定装置７１の取付方法は特に限定されず、接着、ねじ止めなどのどのようなものであってもよい。
【００５７】
アーム下部傾き設定装置７１の詳細を図１４に示す。図１４はアーム１３の上部１３ｂのエッジに取り付けられたアーム下部傾き設定装置７１をその面に垂直な方向から見た図である。図１４に示すように、このアーム下部傾き設定装置７１には、アーム１２、１３の下部１２ａ、１３ａの点Ｃ1 、Ｃ2 を中心とした角度目盛７１ａが形成されており、分度器の機能を有する。図１４においては、角度目盛７１ａは０°から９０°まで１０°間隔で形成されているが、角度目盛７１ａの付け方はこれに限定されるものではなく、例えば５°間隔あるいは１°間隔で形成してもよいし、特定の範囲内の角度だけ、例えば０°から３０°まで角度目盛りが形成されてもよい。角度目盛７１ａが０°の線は鉛直線である。角度目盛７１ａは、典型的には、通常の分度器と同様に例えば黒色に着色された線により形成されるが、これに限定されるものではない。角度目盛７１ａは、アーム下部傾き設定装置７１の片面に設けてもよいが、好適には、両面の互いに対応する位置にそれぞれ設けられる。このように角度目盛７１ａをアーム下部傾き設定装置７１の両面の互いに対応する位置に設けることにより、この角度目盛７１ａを水平方向から見たとき、両面の角度目盛７１ａが一致する方向が水平方向であり、一致しなければ水平方向からずれていると判断することができる。
【００５８】
このセファロＸ線撮影装置の上記以外の構成は、第１の実施の形態によるセファロＸ線撮影装置と同様である。
【００５９】
次に、このセファロＸ線撮影装置を用いて被検体の頭部Ｘ線撮影を行う方法について説明する。
【００６０】
図１３において、アーム１２、１３を水平方向に外側に並進移動させて互いに十分な距離離し、かつ十分に高い位置に移動させておく。また、アーム１２、１３を、イヤーロッド１７、１８の中心軸の中心Ｘ線に対する傾斜角度β（図１０参照）が所望の角度となるように、基準線１６の周りに回転させる。この状態で、図１３に示すように、被検体の頭部２１を、アーム１２、１３の間に、その正中矢状面がＸ線管１１ａからの中心Ｘ線に対して角度γ（０°≦γ≦９０°）傾斜するように位置させる。この場合、被検体は、正中矢状面が床面に対して傾斜するため、その位置に頭部２１を保持することができるようにするために、例えば、床面に対する座面の傾斜角度を調節することができる椅子に座り、体幹部を鉛直線に対して傾斜させた状態でバンドで留めて固定したりする。被検体の頭部２１の正中矢状面を中心Ｘ線に対して角度γ傾斜させるためには、アーム下部傾き設定装置７１を用いる。すなわち、図１４に示すように、アーム下部傾き設定装置７１の角度目盛７１ａを用いて、アーム１２、１３の下部１２ａ、１３ａを上部１２ｂ、１３ｂに対して所望の角度γに折り曲げる。図１４においては、γ＝２０°の場合が示されている。この状態で、アーム１２、１３を互いに独立に下降させることにより、イヤーロッド１７、１８が被検体の頭部２１の左右の外耳孔の高さ位置に来るようにする。次に、アーム１２、１３を水平方向に内側に並進移動させるとともに、アーム１２、１３を互いに独立に下降させることにより、被検体の頭部２１の左右の外耳孔にイヤーロッド１７、１８を挿入し、イヤーロッド１７、１８の最上点が外耳道上縁点（Ｐｏ）に接触するようにすることによって頭部２１を固定する。頭部２１の顔面の所定の基準点には予めシール２１を貼っておく。次に、検査者が頭部傾き設定装置１９を外側からこの頭部傾き設定装置１９に対して垂直な方向に見る。このとき、頭部傾き設定装置１９を透過してシール２１も見ることができる。そして、頭部傾き設定装置１９の角度目盛１９ａを用い、ポリオンとオルビターレとを結ぶ直線を所望の角度αに設定する。そして、この位置でＸ線撮影を行うことにより頭部Ｘ線写真を撮影することができる。
【００６１】
この第４の実施の形態によれば、頭部２１の前後方向の傾斜角度αに加えて、角度β、γをそれぞれ設定することにより、任意の方向から頭部Ｘ線写真を撮影することができ、互いに異なる複数の方向からの頭部Ｘ線写真を撮影することにより三次元的にセファロ分析を行うことができる。また、複数の方向から頭部Ｘ線写真を撮影し、こうして撮影された複数の二次元画像から三次元画像を合成することもできる。
【００６２】
［実施例］
被験者１〜１８の側方頭部Ｘ線規格写真および後前方向頭部Ｘ線規格写真を、頭部傾き設定装置１９を用いることにより、頭部２１のフランクフルト平面が床面に平行になる位置で撮影した。撮影は中心咬合位またはそれに準じる位置で行った。図１５、図１７、図１９、図２１、図２３、図２５、図２７、図２９、図３１、図３３、図３５、図３７、図３９、図４１、図４３、図４５、図４７および図４９はそれぞれ被験者１〜１８の側方頭部Ｘ線規格写真を示す。ここで、図１５、図１７、図１９、図２１、図２３、図２５、図２７、図２９、図３１、図３３、図３５、図３７、図３９、図４１、図４３、図４５、図４７および図４９に見られる横方向の白い線は、頭部傾き設定装置１９の下端に取り付けられた水平板２０の像であり、フランクフルト平面を示す。また、図１６、図１８、図２０、図２２、図２４、図２６、図２８、図３０、図３２、図３４、図３６、図３８、図４０、図４２、図４４、図４６、図４８および図５０はそれぞれ被験者１〜１８の後前方向頭部Ｘ線規格写真を示す。
【００６３】
図５１は、被験者１９の頭部２１のフランクフルト平面が床面に平行になる位置で撮影した後前方向頭部Ｘ線規格写真を示す。また、図５２は、被験者１９の顔面高位で撮影した後前方向頭部Ｘ線規格写真を示す。また、図５３は、被験者１９の顔面低位で撮影した後前方向頭部Ｘ線規格写真を示す。
【００６４】
図１５〜図５０より、被験者１〜１８のいずれも、側方頭部Ｘ線規格写真および前後方向頭部Ｘ線規格写真を頭部のフランクフルト平面が床面に平行になる位置で撮影できていることが分かる。また、図５１〜図５３より、顔面高位および顔面低位で撮影した後前方向頭部Ｘ線規格写真は、頭部２１のフランクフルト平面が床面に平行になる位置で撮影した後前方向頭部Ｘ線規格写真と比べて印象が大きく異なることが分かる。
【００６５】
以上、この発明の実施の形態および実施例について具体的に説明したが、この発明は、上述の実施の形態および実施例に限定されるものではなく、この発明の技術的思想に基づく各種の変形が可能である。
【００６６】
例えば、上述の実施の形態および実施例において挙げた数値、形状、材質、構成、手順などはあくまでも例に過ぎず、必要に応じてこれらと異なる数値、形状、材質、構成、手順などを用いてもよい。
【符号の説明】
【００６７】
１１…Ｘ線発生部、１１ａ…Ｘ線管、１２、１３…アーム、１２ａ、１３ａ…下部、１２ｂ、１３ｂ…上部、１４…アーム制御装置、１５…Ｘ線検出部、１６…基準線、１７、１８…イヤーロッド、１９…頭部傾き設定装置、２０…水平板、２１…頭部、２２…シール、５１…支持台、５２…支持棒、６１…支持台、６２…支持棒、６３…本体部、６４…支持部材、７１…アーム下部傾き設定装置
【図１】
2014023678.tif 000003
【図２】
2014023678.tif 000004
【図３】
2014023678.tif 000005
【図４】
2014023678.tif 000006
【図５】
2014023678.tif 000007
【図６】
2014023678.tif 000008
【図７】
2014023678.tif 000009
【図８】
2014023678.tif 000010
【図９】
2014023678.tif 000011
【図１０】
2014023678.tif 000012
【図１１】
2014023678.tif 000013
【図１２】
2014023678.tif 000014
【図１３】
2014023678.tif 000015
【図１４】
2014023678.tif 000016
【図１５】
2014023678.tif 000017
【図１６】
2014023678.tif 000018
【図１７】
2014023678.tif 000019
【図１８】
2014023678.tif 000020
【図１９】
2014023678.tif 000021
【図２０】
2014023678.tif 000022
【図２１】
2014023678.tif 000023
【図２２】
2014023678.tif 000024
【図２３】
2014023678.tif 000025
【図２４】
2014023678.tif 000026
【図２５】
2014023678.tif 000027
【図２６】
2014023678.tif 000028
【図２７】
2014023678.tif 000029
【図２８】
2014023678.tif 000030
【図２９】
2014023678.tif 000031
【図３０】
2014023678.tif 000032
【図３１】
2014023678.tif 000033
【図３２】
2014023678.tif 000034
【図３３】
2014023678.tif 000035
【図３４】
2014023678.tif 000036
【図３５】
2014023678.tif 000037
【図３６】
2014023678.tif 000038
【図３７】
2014023678.tif 000039
【図３８】
2014023678.tif 000040
【図３９】
2014023678.tif 000041
【図４０】
2014023678.tif 000042
【図４１】
2014023678.tif 000043
【図４２】
2014023678.tif 000044
【図４３】
2014023678.tif 000045
【図４４】
2014023678.tif 000046
【図４５】
2014023678.tif 000047
【図４６】
2014023678.tif 000048
【図４７】
2014023678.tif 000049
【図４８】
2014023678.tif 000050
【図４９】
2014023678.tif 000051
【図５０】
2014023678.tif 000052
【図５１】
2014023678.tif 000053
【図５２】
2014023678.tif 000054
【図５３】
2014023678.tif 000055
【手続補正書】
【提出日】平成24年7月30日(2012.7.30)
【手続補正２】
【補正対象書類名】特許請求の範囲
【補正対象項目名】全文
【補正方法】変更
【補正の内容】
【特許請求の範囲】
【請求項１】
互いに対向して設けられた一対のアームと、
上記一対のアームの互いに対向する内側面にそれぞれ設けられたイヤーロッドと、
上記一対のアームのうちの少なくとも一方に設けられた、被検体の頭部の前後方向の傾きを設定するための頭部傾き設定装置とを有するＸ線撮影装置。
【請求項２】
上記頭部傾き設定装置は、上記一対のアームの上記イヤーロッドを上記被検体の両耳の外耳孔に装着した状態で上記被検体の頭部の傾きを設定する請求項１記載のＸ線撮影装置。
【請求項３】
上記頭部傾き設定装置は、上記頭部を側方から見たときに、上記アームまたは上記イヤーロッド上の第１の基準点と上記被検体の顔面の第２の基準点とを結ぶ直線が水平線または水平線に対して所定の角度傾斜した直線になるように上記頭部の傾きを設定する請求項２記載のＸ線撮影装置。
【請求項４】
上記頭部傾き設定装置は、上記第１の基準点を中心とする、水平線に対する傾斜角度を測定する分度器の機能を有する請求項１〜３のいずれか一項記載のＸ線撮影装置。
【請求項５】
上記頭部傾き設定装置は、上記アームと一体的に設けられ、または、上記アームの外側面に設けられた透明板からなる請求項１〜４のいずれか一項記載のＸ線撮影装置。
【請求項６】
上記透明板は、上記イヤーロッドの中心軸に対して垂直に設けられている請求項５記載のＸ線撮影装置。
【請求項７】
上記透明板は水平面確認機構を備えている請求項６記載のＸ線撮影装置。
【請求項８】
上記水平面確認機構は、上記透明板に上記透明板に対して垂直に内側に向かって突出した水平板または上記透明板の両面の互いに対向する位置に設けられた一対の着色水平線からなる請求項７記載のＸ線撮影装置。
【請求項９】
上記第１の基準点は上記イヤーロッドの最上点である請求項３記載のＸ線撮影装置。
【請求項１０】
上記第２の基準点は上記被検体の眼窩骨縁最下点、瞳孔の中心の直下の眼窩縁または眼瞼裂の中心である請求項３記載のＸ線撮影装置。
【請求項１１】
上記Ｘ線撮影装置はセファロＸ線撮影装置である請求項１〜１０のいずれか一項記載のＸ線撮影装置。
【請求項１２】
被検体の頭部のＸ線撮影を行う際に、互いに対向して設けられた一対のアームの互いに対向する内側面にそれぞれ設けられたイヤーロッドを上記被検体の両耳の外耳孔に装着した状態で上記被検体の頭部の前後方向の傾きを、上記頭部を側方から見たときに、上記アームまたは上記イヤーロッド上の第１の基準点と上記被検体の顔面の第２の基準点とを結ぶ直線が水平線または水平線に対して所定の角度傾斜した直線になるように設定するための頭部傾き設定装置であって、上記第１の基準点を中心とする、水平線に対する傾斜角度を測定する分度器の機能を有するものを用いて測定する、Ｘ線撮影を行う際の頭部傾き測定方法。
【請求項１３】
互いに対向して設けられた一対のアームと、上記一対のアームの互いに対向する内側面にそれぞれ設けられたイヤーロッドとを有するＸ線撮影装置により被検体の頭部のＸ線撮影を行う際に用いられ、
上記一対のアームの上記イヤーロッドを上記被検体の両耳の外耳孔に装着した状態で上記被検体の頭部の前後方向の傾きを、上記頭部を側方から見たときに、上記アームまたは上記イヤーロッド上の第１の基準点と上記被検体の顔面の第２の基準点とを結ぶ直線が水平線または水平線に対して所定の角度傾斜した直線になるように設定するための頭部傾き設定装置を有するＸ線撮影装置用スタンド。
【請求項１４】
互いに対向して設けられた一対のアームと、上記一対のアームの互いに対向する内側面にそれぞれ設けられたイヤーロッドとを有するＸ線撮影装置により被検体の頭部のＸ線撮影を行う際に用いられ、
上記一対のアームの上記イヤーロッドを上記被検体の両耳の外耳孔に装着した状態で上記被検体の頭部の前後方向の傾きを、上記頭部を側方から見たときに、上記アームまたは上記イヤーロッド上の第１の基準点と上記被検体の顔面の第２の基準点とを結ぶ直線が水平線または水平線に対して所定の角度傾斜した直線になるように設定するための頭部傾き設定装置を有するＸ線撮影装置用椅子。
【請求項１５】
互いに対向して設けられた一対のアームと、上記一対のアームの互いに対向する内側面にそれぞれ設けられたイヤーロッドとを有するＸ線撮影装置の上記一対のアームのうちの少なくとも一方に設けられ、
被検体の頭部のＸ線撮影を行う際に、上記一対のアームの上記イヤーロッドを上記被検体の両耳の外耳孔に装着した状態で上記被検体の頭部の前後方向の傾きを、上記頭部を側方から見たときに、上記アームまたは上記イヤーロッド上の第１の基準点と上記被検体の顔面の第２の基準点とを結ぶ直線が水平線または水平線に対して所定の角度傾斜した直線になるように設定するために用いられ、
上記第１の基準点を中心とする、水平線に対する傾斜角度を測定する分度器の機能を有する頭部傾き設定装置。
【手続補正書】
【提出日】平成24年9月4日(2012.9.4)
【手続補正１】
【補正対象書類名】特許請求の範囲
【補正対象項目名】全文
【補正方法】変更
【補正の内容】
【特許請求の範囲】
【請求項１】
互いに対向して設けられた一対のアームと、
上記一対のアームの互いに対向する内側面にそれぞれ設けられたイヤーロッドと、
上記一対のアームのうちの少なくとも一方に設けられた、被検体の頭部の前後方向の傾きを設定するための頭部傾き設定装置とを有し、
上記頭部傾き設定装置は、上記アームと一体的に上記イヤーロッドの中心軸に対して垂直に設けられ、または、上記アームの外側面に上記イヤーロッドの中心軸に対して垂直に設けられた透明板からなり、上記透明板は水平面確認機構を備えているＸ線撮影装置。
【請求項２】
上記頭部傾き設定装置は、上記一対のアームの上記イヤーロッドを上記被検体の両耳の外耳孔に装着した状態で上記被検体の頭部の傾きを設定する請求項１記載のＸ線撮影装置。
【請求項３】
上記頭部傾き設定装置は、上記頭部を側方から見たときに、上記アームまたは上記イヤーロッド上の第１の基準点と上記被検体の顔面の第２の基準点とを結ぶ直線が水平線または水平線に対して所定の角度傾斜した直線になるように上記頭部の傾きを設定する請求項２記載のＸ線撮影装置。
【請求項４】
上記頭部傾き設定装置は、上記第１の基準点を中心とする、水平線に対する傾斜角度を測定する分度器の機能を有する請求項１〜３のいずれか一項記載のＸ線撮影装置。
【請求項５】
上記水平面確認機構は、上記透明板に上記透明板に対して垂直に内側に向かって突出した水平板または上記透明板の両面の互いに対向する位置に設けられた一対の着色水平線からなる請求項１〜４のいずれか一項記載のＸ線撮影装置。
【請求項６】
上記第１の基準点は上記イヤーロッドの最上点である請求項３記載のＸ線撮影装置。
【請求項７】
上記第２の基準点は上記被検体の眼窩骨縁最下点、瞳孔の中心の直下の眼窩縁または眼瞼裂の中心である請求項３記載のＸ線撮影装置。
【請求項８】
上記Ｘ線撮影装置はセファロＸ線撮影装置である請求項１〜７のいずれか一項記載のＸ線撮影装置。
【請求項９】
被検体の頭部のＸ線撮影を行う際に、互いに対向して設けられた一対のアームの互いに対向する内側面にそれぞれ設けられたイヤーロッドを上記被検体の両耳の外耳孔に装着した状態で上記被検体の頭部の前後方向の傾きを、上記頭部を側方から見たときに、上記アームまたは上記イヤーロッド上の第１の基準点と上記被検体の顔面の第２の基準点とを結ぶ直線が水平線または水平線に対して所定の角度傾斜した直線になるように設定するための、上記一対のアームのうちの少なくとも一方に設けられた頭部傾き設定装置であって、上記アームと一体的に上記イヤーロッドの中心軸に対して垂直に設けられ、または、上記アームの外側面に上記イヤーロッドの中心軸に対して垂直に設けられた透明板からなり、上記透明板は水平面確認機構を備えており、上記第１の基準点を中心とする、水平線に対する傾斜角度を測定する分度器の機能を有するものを用いて測定する、Ｘ線撮影を行う際の頭部傾き測定方法。
【請求項１０】
互いに対向して設けられた一対のアームと、上記一対のアームの互いに対向する内側面にそれぞれ設けられたイヤーロッドとを有するＸ線撮影装置により被検体の頭部のＸ線撮影を行う際に用いられ、
上記一対のアームの上記イヤーロッドを上記被検体の両耳の外耳孔に装着した状態で上記被検体の頭部の前後方向の傾きを、上記頭部を側方から見たときに、上記アームまたは上記イヤーロッド上の第１の基準点と上記被検体の顔面の第２の基準点とを結ぶ直線が水平線または水平線に対して所定の角度傾斜した直線になるように設定するための頭部傾き設定装置を有し、
上記頭部傾き設定装置は、上記イヤーロッドの中心軸に対して垂直に設けられた透明板からなり、上記透明板は水平面確認機構を備えているＸ線撮影装置用スタンド。
【請求項１１】
互いに対向して設けられた一対のアームと、上記一対のアームの互いに対向する内側面にそれぞれ設けられたイヤーロッドとを有するＸ線撮影装置により被検体の頭部のＸ線撮影を行う際に用いられ、
上記一対のアームの上記イヤーロッドを上記被検体の両耳の外耳孔に装着した状態で上記被検体の頭部の前後方向の傾きを、上記頭部を側方から見たときに、上記アームまたは上記イヤーロッド上の第１の基準点と上記被検体の顔面の第２の基準点とを結ぶ直線が水平線または水平線に対して所定の角度傾斜した直線になるように設定するための頭部傾き設定装置を有し、
上記頭部傾き設定装置は、上記イヤーロッドの中心軸に対して垂直に設けられた透明板からなり、上記透明板は水平面確認機構を備えているＸ線撮影装置用椅子。
【請求項１２】
互いに対向して設けられた一対のアームと、上記一対のアームの互いに対向する内側面にそれぞれ設けられたイヤーロッドとを有するＸ線撮影装置の上記一対のアームのうちの少なくとも一方に設けられ、
被検体の頭部のＸ線撮影を行う際に、上記一対のアームの上記イヤーロッドを上記被検体の両耳の外耳孔に装着した状態で上記被検体の頭部の前後方向の傾きを、上記頭部を側方から見たときに、上記アームまたは上記イヤーロッド上の第１の基準点と上記被検体の顔面の第２の基準点とを結ぶ直線が水平線または水平線に対して所定の角度傾斜した直線になるように設定するために用いられ、
上記アームの外側面に上記イヤーロッドの中心軸に対して垂直に設けられる透明板からなり、上記透明板は水平面確認機構を備えており、
上記第１の基準点を中心とする、水平線に対する傾斜角度を測定する分度器の機能を有する頭部傾き設定装置。